(57)【要約】【課題】医薬品のリスクを表示することができるようにする。【解決手段】ＰＯＳ端末２０は、医薬品１０を特定する薬品コードに対応付けて、医薬品１０に含まれる成分を特定する成分コードを記憶する医薬品成分対応表２５３と、成分コードに対応付けて、その成分が含まれる医薬品１０のリスクの度合いを示すリスク度を記憶する成分データベース２５を備えている。ＰＯＳ端末２０は、販売対象の医薬品１０のＪＡＮコードをスキャナ２１で読み取り、読み取ったＪＡＮコードに対応する薬品コードを特定し、特定した薬品コードに対応する成分コードを医薬品成分対応表２５３から取得する。ＰＯＳ端末２０は、取得した成分コードに対応するリスク度を成分データベース２５２から読み出して、ディスプレイ２２に表示する。【選択図】図１０
2008009517.tif 000002
【特許請求の範囲】
【請求項１】
医薬品の販売支援システムであって、
前記医薬品を特定する薬品コードに対応付けて、前記医薬品に含まれる成分を特定する成分コードを記憶する医薬品成分データベースと、
前記成分コードに対応付けて、前記成分が含まれる前記医薬品のリスクの度合いを示すリスク度を記憶するリスクデータベースと、
販売対象の前記医薬品を特定する前記薬品コードの入力を受け付ける販売医薬品入力部と、
受け付けた前記薬品コードに対応する前記成分コードを前記医薬品成分データベースから読み出し、読み出した前記成分コードのそれぞれに対応する前記リスク度を前記リスクデータベースから読み出すリスク取得部と、
読み出した前記リスク度を表示装置に表示する情報表示部と、
を備えることを特徴とする医薬品販売支援システム。
【請求項２】
請求項１に記載の医薬品販売支援システムであって、
前記リスク取得部は、前記成分コードのそれぞれに対応する前記リスク度のうち、最も高いものを読み出すこと、
を特徴とする医薬品販売支援システム。
【請求項３】
請求項１に記載の医薬品販売支援システムであって、
前記薬品コードに対応付けて、前記医薬品についての説明を記述した医薬品説明情報を記憶する医薬品情報データベースと、
前記リスク度毎に、前記医薬品のリスクについての説明を記述したリスク説明情報を記憶するリスク情報データベースと、
受け付けた前記薬品コードに対応する前記説明情報を読み出す説明情報取得部と、
を備え、
前記リスク取得部は、前記リスク度に対応する前記リスク説明情報を前記リスク情報データベースから読み出し、
前記情報表示部は、前記リスク説明情報と前記医薬品説明情報とを表示すること、
を特徴とする医薬品販売支援システム。
【請求項４】
請求項３に記載の医薬品販売支援システムであって、
前記リスク説明情報及び前記医薬品説明情報を印刷装置に出力する情報印刷部を備えることを特徴とする医薬品販売支援システム。
【請求項５】
請求項１に記載の医薬品販売支援システムであって、
前記販売医薬品入力部は、複数の前記薬品コードを含むリストの入力を受け付け、
前記薬品コードに対応付けて、前記薬品コードにより特定される前記医薬品との併用が禁忌される前記医薬品を特定する前記薬品コードである禁忌薬品コードを記憶する併用禁忌データベースと、
前記リストに含まれる前記薬品コードのそれぞれについて、前記薬品コードに対応する前記禁忌薬品コードを前記併用禁忌データベースから読み出し、読み出した前記禁忌薬品コードが前記リストに含まれているかどうかを判断する併用禁忌判断部と、
前記禁忌薬品コードが前記リストに含まれている場合、前記薬品コードにより特定される前記医薬品、及び前記禁忌薬品コードにより特定される前記医薬品の併用が禁忌されている旨を示すメッセージを前記表示装置に表示する併用禁忌メッセージ表示部と、
を備えることを特徴とする医薬品販売支援システム。
【請求項６】
請求項５に記載の医薬品販売支援システムであって、
前記併用禁忌判断部は、前記リストに含まれる前記薬品コードのそれぞれについて、前記併用禁忌データベースから、前記薬品コードに一致する前記禁忌薬品コードに対応する前記薬品コードである逆禁忌ＩＤを読み出し、読み出した前記逆禁忌ＩＤが前記リストに含まれているかどうかを判断し、
前記併用禁忌メッセージ表示部は、前記逆禁忌ＩＤが前記リストに含まれている場合にも、前記併用禁忌メッセージを表示すること、
を特徴とする医薬品販売支援システム。
【請求項７】
医薬品の販売を支援する方法であって、
ＣＰＵとメモリとを備える情報処理装置が、
前記医薬品を特定する薬品コードに対応付けて、前記医薬品に含まれる成分を特定する成分コードを前記メモリに記憶し、
前記成分コードに対応付けて、前記成分が含まれる前記医薬品のリスクの度合いを示すリスク度を前記メモリに記憶し、
販売対象の前記医薬品を特定する前記薬品コードの入力を受け付け、
受け付けた前記薬品コードに対応する前記成分コードを前記メモリから読み出し、読み出した前記成分コードのそれぞれに対応する前記リスク度を前記メモリから読み出し、
読み出した前記リスク度を表示装置に表示すること、
を特徴とする医薬品の販売支援方法。
【請求項８】
医薬品の販売を支援するためのプログラムであって、
コンピュータに、
前記医薬品を特定する薬品コードに対応付けて、前記医薬品に含まれる成分を特定する成分コードをメモリに記憶するステップと、
前記成分コードに対応付けて、前記成分が含まれる前記医薬品のリスクの度合いを示すリスク度を前記メモリに記憶するステップと、
販売対象の前記医薬品を特定する前記薬品コードの入力を受け付けるステップと、
受け付けた前記薬品コードに対応する前記成分コードを前記メモリから読み出し、読み出した前記成分コードのそれぞれに対応する前記リスク度を前記メモリから読み出すステップと、
読み出した前記リスク度を表示装置に表示するステップと、
を実行させるためのプログラム。
【発明の詳細な説明】
【技術分野】
【０００１】
本発明は、医薬品の販売支援システム、販売支援方法、及びプログラムに関する。
【背景技術】
【０００２】
ＰＯＳ（Point Of Sales）端末等を利用して、医薬品の販売時に、医薬品についての情報を表示することが行われている。例えば、特許文献１には、販売されようとしている医薬品の薬品名が表示されるシステムが開示されている。
【特許文献１】特開２００３−２３３６７３号公報
【発明の開示】
【発明が解決しようとする課題】
【０００３】
近年、健康意識の高まりから医薬品のリスクについての情報提供が求められているが、特許文献１に記載のシステムでは医薬品のリスクについて考慮されておらず、医薬品のリスクを表示することはできない。したがって、医薬品のリスクは薬剤師の知識や経験に基づいて判断せざるを得ない。しかしながら、大量の医療品の一つ一つについてリスクを把握しておくことは困難である。
【０００４】
本発明は、このような背景を鑑みてなされたものであり、医薬品のリスクを表示することのできる医薬品の販売支援システム、販売支援方法、及びプログラムを提供することを目的とする。
【課題を解決するための手段】
【０００５】
上記課題を解決するための本発明のうち請求項１に記載の発明は、医薬品の販売支援システムであって、前記医薬品を特定する薬品コードに対応付けて、前記医薬品に含まれる成分を特定する成分コードを記憶する医薬品成分データベースと、前記成分コードに対応付けて、前記成分が含まれる前記医薬品のリスクの度合いを示すリスク度を記憶するリスクデータベースと、販売対象の前記医薬品を特定する前記薬品コードの入力を受け付ける販売医薬品入力部と、受け付けた前記薬品コードに対応する前記成分コードを前記医薬品成分データベースから読み出し、読み出した前記成分コードのそれぞれに対応する前記リスク度を前記リスクデータベースから読み出すリスク取得部と、読み出した前記リスク度を表示装置に表示する情報表示部と、を備えることとする。
【０００６】
本発明の販売支援システムによれば、販売しようとしている医薬品についてのリスクが表示されるので、販売員は表示されたリスクを参照してそのリスクを購入者に伝えることができる。これにより、購入者に対するインフォームドコンセントを充実することができる。また、医薬品の購入者は、リスクを確認してから医薬品を購入することができる。
【０００７】
また、本発明のうち請求項２に記載の発明は、請求項１に記載の医薬品販売支援システムであって、前記リスク取得部は、前記成分コードのそれぞれに対応する前記リスク度のうち、最も高いものを読み出すこととする。  
この場合、成分毎のリスクのうち最も大きいリスクのみを医薬品のリスクとして提示することができる。したがって、医薬品のリスクとして１つだけが表示されるのでわかりやすい。
【０００８】
また、本発明のうち請求項３に記載の発明は、請求項１に記載の医薬品販売支援システムであって、前記薬品コードに対応付けて、前記医薬品についての説明を記述した医薬品説明情報を記憶する医薬品情報データベースと、前記リスク度毎に、前記医薬品のリスクについての説明を記述したリスク説明情報を記憶するリスク情報データベースと、受け付けた前記薬品コードに対応する前記説明情報を読み出す説明情報取得部と、を備え、前記リスク取得部は、前記リスク度に対応する前記リスク説明情報を前記リスク情報データベースから読み出し、前記情報表示部は、前記リスク説明情報と前記医薬品説明情報とを表示すること、とする。
【０００９】
また、本発明のうち請求項４に記載の発明は、請求項３に記載の医薬品販売支援システムであって、前記リスク説明情報及び前記医薬品説明情報を印刷装置に出力する情報印刷部を備えることとする。  
この場合、医薬品の販売者は表示に基づく口頭での説明とともに、印刷物を購入者に手渡すことができるので、医薬品のリスクについて、より確実な情報提供を行うことができる。
【００１０】
また、本発明のうち請求項５に記載の発明は、請求項１に記載の医薬品販売支援システムであって、前記販売医薬品入力部は、複数の前記薬品コードを含むリストの入力を受け付け、前記薬品コードに対応付けて、前記薬品コードにより特定される前記医薬品との併用が禁忌される前記医薬品を特定する前記薬品コードである禁忌薬品コードを記憶する併用禁忌データベースと、前記リストに含まれる前記薬品コードのそれぞれについて、前記薬品コードに対応する前記禁忌薬品コードを前記併用禁忌データベースから読み出し、読み出した前記禁忌薬品コードが前記リストに含まれているかどうかを判断する併用禁忌判断部と、前記禁忌薬品コードが前記リストに含まれている場合、前記薬品コードにより特定される前記医薬品、及び前記禁忌薬品コードにより特定される前記医薬品の併用が禁忌されている旨を示すメッセージを前記表示装置に表示する併用禁忌メッセージ表示部と、を備えることとする。  
この場合、医薬品単体のリスクに加えて、複数の医薬品の組み合わせによるリスクについても情報提供を行うことが可能となる。
【００１１】
また、本発明のうち請求項６に記載の発明は、請求項５に記載の医薬品販売支援システムであって、前記併用禁忌判断部は、前記リストに含まれる前記薬品コードのそれぞれについて、前記併用禁忌データベースから、前記薬品コードに一致する前記禁忌薬品コードに対応する前記薬品コードである逆禁忌ＩＤを読み出し、読み出した前記逆禁忌ＩＤが前記リストに含まれているかどうかを判断し、前記併用禁忌メッセージ表示部は、前記逆禁忌ＩＤが前記リストに含まれている場合にも、前記併用禁忌メッセージを表示することとする。
【発明の効果】
【００１２】
本発明によれば、医薬品のリスクを表示することができる。
【発明を実施するための最良の形態】
【００１３】
＝＝システム構成＝＝
以下、本発明の一実施形態である医薬品１０の販売支援システムについて説明する。本実施形態では、薬局において薬剤師が販売員として医薬品１０に関する説明をしながら利用客に対面販売を行うことを想定している。
【００１４】
本実施形態の販売支援システムの全体構成を図１に示す。同図に示すように、本実施形態の販売支援システムは、薬局等の店舗に設置されるＰＯＳ端末２０を含んで構成される。ＰＯＳ端末２０には、スキャナ２１、ディスプレイ２２、及びプリンタ２３が接続されている。スキャナ２１は、医薬品１０に印刷されているバーコードから医薬品１０に割り当てられているＪＡＮ（Japanese Article Number）コードという。）を読み取る。ディスプレイ２２には、後述するように医薬品１０に関する情報等の各種の情報が表示される。販売員は、ディスプレイ２２に表示される情報を参照して、利用客に医薬品１０に関する説明を行う。また、プリンタ２３からは医薬品１０に関する情報が出力される。本実施形態では、後述するように、リスクの高い医薬品１０に関する情報がプリンタ２３から出力され、販売員は、医薬品１０についての説明を口頭で行うとともに、プリンタ２３からの印刷物を利用客に手渡すことができる。
【００１５】
＝＝ＰＯＳ端末２０の構成＝＝
図２は、ＰＯＳ端末２０のハードウェア構成を示す図である。同図に示すように、ＰＯＳ端末２０は、ＣＰＵ２０１、メモリ２０２、記憶装置２０３、入力インタフェース２０４、出力インタフェース２０５、プリンタインタフェース２０６、レシート印刷装置２０７を備えている。
【００１６】
記憶装置２０３は、プログラムやデータを記憶する、例えば、ハードディスクドライブやフラッシュメモリ、ＣＤ−ＲＯＭドライブなどである。ＣＰＵ２０１は、記憶装置２０３に記憶されているプログラムをメモリ２０２に読み出して実行することによりＰＯＳ端末２０としての各種の機能を実現する。
【００１７】
入力インタフェース２０４は、スキャナと接続するためのインタフェースである。入力インタフェース２０４は、例えば、ＵＳＢ（Universal Serial Bus）などの規格に従ってスキャナ２１からＪＡＮコードを取得する。出力インタフェース２０５は、ディスプレイ２２と接続するためのインタフェースである。出力インタフェース２０５には、ディスプレイ２２に合わせて、ＲＧＢ信号を出力するアナログインタフェースや、デジタルの画像データを出力するデジタルインタフェースを採用することができる。プリンタインタフェース２０６は、プリンタ２３と接続するためのインタフェースである。ＰＯＳ端末２０はプリンタインタフェース２０６を介してプリンタ２３に情報を送出し、情報の印刷を行う。レシート印刷装置２０７は、販売した医薬品１０のレシートを印刷する、例えばサーマルプリンタである。
【００１８】
図３はＰＯＳ端末２０のソフトウェア構成を示す図である。同図に示すように、ＰＯＳ端末２０は、ＪＡＮコード取得部２１１、リスク決定部２１２、リスク表示部２１３、医薬品情報表示部２１４、医薬品情報印刷部２１５、医薬品情報入力部２１６、禁忌情報取得部２１７、禁忌情報表示部２１８、医薬品データベース２５１、成分データベース２５２、医薬品成分対応表２５３、併用禁忌データベース２５４を備えている。なお、上記の各機能部２１１〜２１８は、ＰＯＳ端末２０のＣＰＵ２０１が記憶装置２０３に記憶されているプログラムをメモリ２０２に読み出して実行することにより実現される。また、上記の各記憶部２５１〜２５４は、ＰＯＳ端末２０のメモリ２０２や記憶装置２０３により提供される記憶領域として実現される。
【００１９】
ＪＡＮコード取得部２１１は、スキャナ２１が医薬品１０のバーコードから読み取ったＪＡＮコードを、入力インタフェース２０４を介して取得する。なお、ＪＡＮコード取得部２１１がスキャナ２１からＪＡＮコードを受け付ける手法は、一般的なＰＯＳ端末に用いられているものを採用する。
【００２０】
医薬品データベース２５１は、本実施形態の販売支援システムにおいて販売対象となる医薬品１０に関する情報（以下、医薬品情報という。）を記憶する。図４に医薬品データベース２５１に記憶される医薬品情報の構成例を示す。同図に示すように、医薬品情報には、ＪＡＮコードに対応付けて、薬品コード、分類、医薬品名、単価、説明書ファイル名、画像ファイル名、及び備考が含まれている。
【００２１】
薬品コードは、各医薬品１０に割り当てられている、本販売支援システムにおける医薬品１０の識別情報である。医薬品情報の分類は、医薬品の分類であり、本実施形態では、「市販薬」又は「医療用薬品」の何れかであるものとする。医薬品名は、医薬品１０の名称であり、単価は医薬品１０の販売価格である。
【００２２】
説明書ファイル名は、医薬品１０についての説明を記述したファイル（以下、説明書ファイルという。）のファイル名である。なお、医薬品１０についての説明とは、医薬品１０に付属している説明書に記載されているものである。図５に説明書ファイルに記載された情報（以下、説明書情報という。）の一例を示す。同図に示すように、説明書情報には、効能や成分、用法・容量などの項目毎にその内容が記述される。本実施形態の説明書情報では、図５に示すように、括弧で括られた各項目の名称（例えば、「商品名」、「効能・効果」など）に続いて、その項目の内容が記述され、次の項目との間には空行が挿入されている。なお、説明書情報の記述形式は図５の例に限らず、例えば、表形式であってもよいし、ＸＭＬ形式であってもよい。つまり、各項目を抽出可能な形式であれば任意の形式を採用することができる。
【００２３】
成分データベース２５２は、医薬品１０に含まれる成分に関する情報（以下、成分情報という。）を記憶する。図６に成分データベース２５２に記憶される成分情報の構成例を示す。同図に示すように、成分情報には、成分コード、成分名、及びリスク度が含まれている。成分コードは、成分を特定するための識別情報である。成分名は、成分の名称である。リスク度は、この成分を含んでいる医薬品１０が人体に及ぼしうる悪影響の度合いである。本実施形態では、リスク度は「Ａ」〜「Ｄ」までの４種類があるものとする。リスク度「Ａ」は、その成分を含む医薬品１０のリスクが特に高く、薬剤師による文書を用いた積極的な情報提供及び相談応需を義務付けて、安全性を確保すべきことを示す。リスク度「Ｂ」は、その成分を含む医薬品１０のリスクが比較的高く、専門家による積極的な情報提供を努力し、相談応需を義務付けることを示す。リスク度「Ｃ」は、その成分を含む医薬品１０のリスクは比較的低く、専門家による相談応需を中心とした体制を整備すべきことを示す。また、リスク度「Ｄ」は、その成分を含む医薬品１０のリスクはほとんどないことを示す。
【００２４】
医薬品成分対応表２５３は、医薬品１０にどの成分が含まれているかの対応付けを管理する。医薬品成分対応表２５３の構成例を図７に示す。同図に示すように、医薬品成分対応表２５３では、医薬品１０を示す薬品コードと、その医薬品１０に含まれる成分を示す成分コードとが対応付けて記憶されている。
【００２５】
＝＝医薬品情報の表示＝＝
リスク決定部２１２は、ＪＡＮコード取得部２１１が取得したＪＡＮコードに対応する医薬品１０のリスクを決定し、リスク表示部２１３は、そのリスクを表示する。  
医薬品１０のリスクを表示する処理の流れを図８に示す。なお、図８の処理は、スキャナ２１が医薬品１０のバーコードからＪＡＮコードを読み取る度に実行される。
【００２６】
ＪＡＮコード取得部２１１がＪＡＮコードを取得すると（Ｓ３０１）、リスク決定部２１２は、医薬品データベース２５１からＪＡＮコードに対応する医薬品情報を読み出し（Ｓ３０２）、読み出した医薬品情報に含まれる薬品コードに対応する成分コードを、医薬品成分対応表２５３から読み出す（Ｓ３０３）。
【００２７】
リスク決定部２１２は、処理の対象となる医薬品１０についてのリスク度（以下、薬品リスク度という。）の初期値を「Ｄ」とし（Ｓ３０４）、上記の成分コードのそれぞれについて、成分コードに対応するリスク度を成分データベース２５２から読み出し（Ｓ３０５）、読み出したリスク度が薬品リスク度よりも大きい場合（Ｓ３０６：ＹＥＳ）には、読み出したリスク度を薬品リスク度とする（Ｓ３０７）。
【００２８】
以上の処理により薬品リスク度が決定される。リスク表示部２１３は、医薬品情報とともに薬品リスク度をディスプレイ２２に出力する（Ｓ３０８）。
【００２９】
リスク表示部２１３により表示される画面４１の一例を図９に示す。  
画面４１は医薬品情報及び薬品リスク度の表示欄４１１を備えている。リスク表示部２１３は、スキャナ２１から入力された各ＪＡＮコードについて、上述の図８の処理により決定された薬品リスク度とともに、対応する医薬品情報に含まれる薬品コードや分類、医薬品名、単価などを表示欄４１１に表示する。なお、表示欄４１１では、薬品リスク度に応じて、各行の背景色を変更するようにしてもよい。
【００３０】
画面４１はまた、税額の表示欄４１２及び支払合計額の表示欄４１３を備えている。リスク表示部２１３は、各医薬品１０についてリスク決定部２１２が取得した医薬品情報の単価を合計し、合計額に所定の消費税率を乗じた税額を表示欄４１２に表示するとともに、単価の合計額に上記の税額を加算した合計額を表示欄４１３に表示する。
【００３１】
また、画面４１の表示欄４１１のいずれかの行がタッチパネルやマウス等の入力装置を用いて選択されると、対応する医薬品についての医薬品情報が医薬品情報表示部２１４によりディスプレイ２２に表示される。
【００３２】
医薬品情報表示部２１４が表示する画面４２の一例を図１０に示す。同図に示すように、画面４２は、医薬品名の表示欄４２１、医薬品の画像の表示欄４２２、上述のリスク決定部２１２により決定された薬品リスク度に応じたアイコンの表示欄４２３、薬品リスク度の説明表示欄４２４、備考の表示欄４２５、説明書の項目指定ボタン４２６、及び説明書の項目表示欄４２７を備えている。
【００３３】
医薬品情報表示部２１４は、医薬品情報に含まれている医薬品名及び備考を、画面４２の表示欄４２１及び表示欄４２５にそれぞれ表示するとともに、医薬品情報に含まれる画像ファイル名が示すファイルから画像データを読み出し、読み出した画像データに基づいて医薬品の画像を表示欄４２２に表示する。
【００３４】
また、医薬品情報表示部２１４は、リスク決定部２１２が決定した薬品リスク度が「Ａ」〜「Ｃ」である場合に、医薬品にリスクがある旨を示すアイコンを表示欄４２３に表示する。また、医薬品情報表示部２１４は、薬品リスク度に応じたリスクの説明を表示欄４２４に表示する。薬品リスク度に対応するリスクの説明を表１に示す。医薬品情報表示部２１４は、薬品リスク度に対応する表中の説明欄の内容を画面４２の表示欄４２４に表示する。
【００３５】
2008009517.tif 000003
【００３６】
また、画面４２の選択ボタン４２６にはそれぞれ説明書情報の項目が対応付けられており、医薬品情報表示部２１４は、押下された選択ボタン４２６に対応付けられている項目を説明書情報から抽出して表示欄４２７に表示する。
【００３７】
以上説明したように、本実施形態のＰＯＳ端末２０では、リスク決定部２１２が決定した薬品リスク度に応じて、販売しようとしている医薬品１０のリスクについての説明がディスプレイ２２に表示される。したがって、販売員はディスプレイ２２を参照して、販売する医薬品１０のリスクを対面で購入者に伝えることができる。よって、医薬品１０の販売側は購入者に対するインフォームドコンセントを充実することができる。また、医薬品１０の購入者は、医薬品１０についてのリスクを事前に知ることができて安心である。
【００３８】
また、本実施形態のＰＯＳ端末２０では、医薬品１０の説明書に記載されている内容がディスプレイ２２に表示されるので、販売員は、医薬品１０についての成分や効能、注意事項などをディスプレイ２２の表示から容易に把握することができる。したがって、薬剤師などの販売員は、多種多様な市販の医薬品１０それぞれについての成分や注意事項などを暗記しておく必要がなくなり、その負担を低減することができる。
【００３９】
＝＝医薬品情報の印刷＝＝
次に、医薬品１０に関する情報の印刷について説明する。
【００４０】
医薬品情報印刷部２１５は、医薬品１０の薬品リスク度などの情報を、レシート印刷装置２０７やプリンタ２３から印刷する。本実施形態において医薬品情報印刷部２１５は、薬品リスク度が「Ｄ」以外（「Ａ」〜「Ｃ」）の場合、レシート印刷装置２０７から、医薬品名や薬品リスク度を印刷する。薬品リスク度が印刷されたレシート４３の一例を図１１に示す。同図に示すように、医薬品情報印刷部２１５は、レシート４３の買上明細に後続して、医薬品情報の医薬品名４３１、薬品リスク度４３２、及び薬品リスク度の説明４３３を印刷する。このように、レシート４３に医薬品１０のリスク度が印刷されることにより、医薬品１０の購入者は容易に購入した医薬品１０についてのリスクを把握することができる。
【００４１】
また、医薬品情報印刷部２１５は、薬品リスク度が「Ａ」である場合には、プリンタ２３から、医薬品１０の説明書情報や薬品リスク度などを印刷する。なお、医薬品情報印刷部２１５は、上述の図１０に示した画面４２と同様の情報をプリンタ２３から出力する。これにより、販売員は、販売した医薬品１０のリスクについて、口頭での説明に加えて、文書によっても情報提供することができる。したがって、医薬品１０の販売者は、購入者に対して、より確実に医薬品１０についての情報提供を行うことができる。
【００４２】
＝＝医薬品情報の禁忌判断＝＝
次に、複数の医薬品１０を併用した場合のリスクの表示について説明する。一般に、投与した複数の医薬品１０の相互作用により、治療効果が著しく減弱したり、様々な副作用を引き起こしたりする場合があることが知られており、このような組み合わせは併用が禁忌されている。本実施形態では、購入しようとしている複数の医薬品１０間で併用禁忌された組み合わせがないかどうかを判断するようにしている。
【００４３】
併用禁忌データベース２５４は、併用禁忌されている医薬品１０に関する情報（以下、禁忌情報という。）を記憶する。併用禁忌データベース２５４に記憶される禁忌情報の構成例を図１２に示す。同図に示すように、禁忌情報には、医薬品１０の薬品コードに対応付けて、その医薬品１０と併用することにより副作用が発症したり、医薬品１０の効用が低下したりする可能性がある他の医薬品（以下、禁忌医薬品という。）を特定する薬品コード（以下、禁忌薬品コードという。）と、それらの医薬品を併用した場合のリスクの説明とが含まれている。なお、禁忌情報は、医薬品に添付されている説明書等の記載に基づいて登録されるものである。医薬品Ａに添付されていた説明書に併用禁忌された医薬品として医薬品Ｂが記載されていた場合には、医薬品Ａを示す薬品コードと、医薬品Ｂを示す禁忌薬品コードとを含む禁忌情報が併用禁忌データベース２５４に登録される。また、同時に医薬品Ｂに添付された説明書に併用禁忌された医薬品として医薬品Ａが記載されていた場合には、医薬品Ｂを示す薬品コードと、医薬品Ａを示す禁忌薬品コードとを含む禁忌情報についても併用禁忌データベース２５４に登録される。
【００４４】
医薬品情報入力部２１６は、本実施形態の販売支援システムによる販売の対象外の医薬品１０を特定する薬品コードの入力を受け付ける。医薬品情報入力部２１６が受け付ける薬品コードは、例えば、購入者が既に自宅に購入済みの医薬品１０を特定する薬品コードや、現在医者から投与を受けている医療用医薬品の薬品コードなどである。
【００４５】
禁忌情報取得部２１７は、販売対象となった医薬品１０の薬品コードや、医薬品情報入力部２１６から入力された薬品コードにマッチする禁忌情報を併用禁忌データベース２５４から読み出し、禁忌情報表示部２１８は、読み出した禁忌情報をディスプレイ２２に表示する。
【００４６】
禁忌情報が表示される処理の流れを図１３に示す。また、禁忌情報が表示される画面４４の一例を図１４に示す。
【００４７】
禁忌情報取得部２１７は、スキャナ２１から入力された薬品コードと、医薬品情報入力部２１６が受け付けた薬品コードとをまとめたリスト（以下、医薬品リストという。）を作成する（Ｓ５０１）。禁忌情報取得部２１７は、薬品リストに含まれる薬品コードのそれぞれを処理薬品コードとして以下の処理を行う。
【００４８】
禁忌情報取得部２１７は、併用禁忌データベース２５４から、薬品コードが処理薬品コードに一致し、又は禁忌薬品コードが処理薬品コードに一致する禁忌情報を読み出し（Ｓ５０２）、読み出した各禁忌情報を処理禁忌情報として以下の処理を行う。
【００４９】
禁忌情報取得部２１７は、処理禁忌情報の薬品コード及び処理禁忌情報の禁忌薬品コードが薬品リストに含まれているかどうかを判断し、処理禁忌情報の薬品コードが薬品リストに含まれており（Ｓ５０３：ＹＥＳ）、かつ、処理禁忌情報の禁忌薬品コードが薬品リストに含まれている場合（Ｓ５０４：ＹＥＳ）、禁忌情報取得部２１７は、医薬品データベース２５１から、正禁忌情報に含まれる薬品コードに対応する医薬品名を読み出して医薬品名Ａとし（Ｓ５０５）、正禁忌情報に含まれる禁忌薬品コードに対応する医薬品名を読み出して医薬品名Ｂとする（Ｓ５０６）。
【００５０】
禁忌情報取得部２１７は、禁忌リスト中に含まれている禁忌情報のうち、禁忌情報の薬品コードが処理禁忌情報の禁忌薬品コードと一致し、かつ、禁忌情報の禁忌薬品コードが処理禁忌情報の薬品コードと一致するものを取得する（Ｓ５０７）。
【００５１】
上記の禁忌情報が取得できなかった場合（Ｓ５０８：ＮＯ）、禁忌情報表示部２１８は、図１４に示す画面４４の表示欄４４１に、医薬品名Ａ、「→」、医薬品名Ｂ、及び正禁忌情報に含まれる説明を表示する（Ｓ５０９）。ここで表示欄４４１の「向き」として表示される医薬品Ａから医薬品Ｂへの矢印「→」は、医薬品Ａに添付されていた文書には、医薬品Ｂが併用禁忌された医薬品として記載されていたことを示す。
【００５２】
一方、上記の禁忌情報が取得できた場合には（Ｓ５０８：ＹＥＳ）、禁忌情報表示部２１８は、図１４に示す画面４４の表示欄４４１に、医薬品名Ａ、「＝」、医薬品名Ｂ、及び、処理禁忌情報に含まれる説明に、取得した禁忌情報に含まれる説明を加えたものを表示し（Ｓ５１０）、禁忌情報取得部２１７は、上記の禁忌情報を禁忌リストから削除する（Ｓ５１１）。ここで、表示欄４４１の「向き」として表示される「＝」は、医薬品Ａに添付されていた文書には、医薬品Ｂが併用禁忌された医薬品として記載されており、かつ医薬品Ｂに添付されていた文書にも、医薬品Ａが併用禁忌された医薬品として記載されていたことを示す。
【００５３】
以上の処理が、禁忌リスト中の各禁忌情報及び薬品リスト中の各薬品コードについて行われることで、併用禁忌されている医薬品についての情報が画面４４に表示される。したがって、医薬品１０の販売員は、販売しようとしている医薬品１０間での併用禁忌されている組み合わせがないかどうかをチェックすることができる。併用禁忌された医薬品１０の組み合わせがある場合には、販売員はその旨及び関連する説明を購入者に提供するとともに、例えば、他の医薬品１０の斡旋等を行うことができる。つまり、販売対象となる医薬品１０について、より細やかな情報提供を行うことができる。よって、医薬品１０の購入者は、購入しようとしている医薬品１０の中に併用禁忌されているような組み合わせがないかどうかを事前にチェックできるので安心である。
【００５４】
なお、図１４の例では、画面４４は、併用禁忌についてのチェックを行う医薬品１０を選択するチェックボックス４４２を備えており、禁忌情報取得部２１７は、チェックボックス４４２でチェックされた医薬品１０についてのみ、上記医薬品リストを作成するようにしてもよい。この場合、例えば、併用禁忌されている医薬品の組み合わせが多い場合などには、併用禁忌のチェック対象となる医薬品１０を絞ることで、同時に表示される禁忌情報を減らして、情報を容易に視認するようにすることができる。
【００５５】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【図面の簡単な説明】
【００５６】
【図１】本実施形態の販売支援システムの全体構成を示す図である。
【図２】ＰＯＳ端末２０のハードウェア構成を示す図である。
【図３】ＰＯＳ端末２０のソフトウェア構成を示す図である。
【図４】医薬品データベース２５１に記憶される医薬品情報の構成例を示す図である。
【図５】説明書情報の一例を示す図である。
【図６】成分データベース２５２に記憶される成分情報の構成例を示す図である。
【図７】医薬品成分対応表２５３の構成例を示す図である。
【図８】医薬品１０のリスクを表示する処理の流れを示すフロー図である。
【図９】リスク表示部２１３により表示される画面４１の一例を示す図である。
【図１０】医薬品情報表示部２１４が表示する画面４２の一例を示す図である。
【図１１】リスクのある医薬品についての情報が印刷されたレシート４３の一例を示す図である。
【図１２】併用禁忌データベース２５４に記憶される禁忌情報の構成例を示す図である。
【図１３】禁忌情報が表示される処理の流れを示すフロー図である。
【図１４】禁忌情報が表示される画面４４の一例を示す図である。
【符号の説明】
【００５７】
１０  医薬品、２０  ＰＯＳ端末、２１  スキャナ、
２２  ディスプレイ、２３  プリンタ、
２０１  ＣＰＵ、２０２  メモリ、２０３  記憶装置、
２０４  入力インタフェース、２０５  出力インタフェース、
２０６  プリンタインタフェース、２０７  レシート印刷装置、
２１１  ＪＡＮコード取得部、２１２  リスク決定部、
２１３  リスク表示部、２１４  医薬品情報表示部、
２１５  医薬品情報印刷部、２１６  医薬品情報入力部、
２１７  禁忌情報取得部、２１８  禁忌情報表示部、
２５１  医薬品データベース、２５２  成分データベース、
２５３  医薬品成分対応表、２５４  併用禁忌データベース、
４１  画面、４１１  薬品リスク度の表示欄、
４１２  税額の表示欄、４１３  合計額の表示欄、
４２  画面、４２１  医薬品名の表示欄、４２２  画像の表示欄、
４２３  アイコンの表示欄、４２４  薬品リスク度の説明表示欄、
４２５  備考の表示欄、４２６  項目指定ボタン、４２７  項目表示欄、
４３  レシート、４３１  医薬品名、
４３２  薬品リスク度、４３３  薬品リスク度の説明、
４４  画面、４４１  表示欄、４４２  チェックボックス
【図１】
2008009517.tif 000004
【図２】
2008009517.tif 000005
【図３】
2008009517.tif 000006
【図４】
2008009517.tif 000007
【図５】
2008009517.tif 000008
【図６】
2008009517.tif 000009
【図７】
2008009517.tif 000010
【図８】
2008009517.tif 000011
【図９】
2008009517.tif 000012
【図１０】
2008009517.tif 000013
【図１１】
2008009517.tif 000014
【図１２】
2008009517.tif 000015
【図１３】
2008009517.tif 000016
【図１４】
2008009517.tif 000017